(57)【要約】本発明は，携帯電話を収納することで腰などに装着して，携帯し別途に充電器を用意することなく，携帯電話の充電が可能で，ラジオ受信はもちろんのことＬＤに記録された音楽が聞ける充電可能な携帯電話用ホルダーに関するものである。本発明の構成は，携帯電話ホルダー（１０）の背面に設置され，ＡＭ／ＦＭの受信可能なラジオ（２０）と，携帯電話ホルダーの背面に設置され，所定電圧のバッテリ（３１）が収納可能なバッテリ収納箱（３０）と，バッテリによって充電可能な携帯電話収納溝（１１）の内部に形成された充電端子（１２）と，ラジオ及びバッテリ収納箱の背面に設置され，所定ＬＤの再生音が聞けるＬＤプレイヤー（４０）と，ユーザが携帯できるようにＬＤプレイヤーの正面に設置されたラッチ（５０）とから構成されることを特徴とする。
2004523974.tif 000002
【特許請求の範囲】
【請求項１】
携帯電話を収納する携帯電話ホルダーにおいて：
前記携帯電話ホルダーは，前記携帯電話ホルダーの背面に設置されてＡＭ／ＦＭを受信するラジオと；
前記携帯電話ホルダーの背面に設置されて所定電圧のバッテリが収納されるバッテリ収納箱と；
前記携帯電話ホルダーの携帯電話収納溝の内部に形成された前記バッテリにより充電する充電端子と；
前記ラジオ及びバッテリ収納箱の背面に設置されてＬＤに記録された音楽を再生するＬＤプレイヤーと；
前記ＬＤプレイヤーの表面に設置された携帯するためのラッチとから構成されることを特徴とする，充電可能な携帯電話ホルダー。
【発明の詳細な説明】
【０００１】
（技術分野）
本発明は携帯電話ホルダーに関するもので，詳細には必需品になっている携帯電話を収納して持ち運び，別途の充電器なしに充電可能な，ラジオ受信及びＬＤ演奏の機能を備えた携帯電話ホルダーに関するものである。
【０００２】
（背景技術）
一般に，携帯電話というと最近の移動通信の一つで脚光を浴びている装置である。多くの人は，時間または場所に束縛されず，気軽に通話するために，上記小型の携帯電話を常備している（身に付けている）。
【０００３】
次に，図２を参照しながら，上記携帯電話を収納するための一般的なホルダーについて説明する。
【０００４】
上記携帯電話を常備する（持ち運ぶ）ために，上記図２に示すように，従来による一般的なホルダーは，携帯電話を挿入できる携帯電話挿入溝２００と，人が身につける衣服等に掛着するためのラッチ３００とが含まれる。上記ホルダー１００に，携帯電話を挿入して持ち運んでいた。
【０００５】
しかしながら，携帯電話を所持している移動中の間は，携帯電話のバッテリ（蓄電池）の電力が消費される。再度バッテリの充電をする再充電が必要な場合，携帯電話の使用を継続するために，別途の充電器を所持する必要があった。さらに，旅行中，携帯電話の他に，ラジオおよびＬＤプレイヤーを所持するという必要性があった。
【０００６】
（発明の開示）
本発明は，上記の諸問題を解決するため案出されたもので，本発明の目的は携帯電話を携帯電話用ホルダーに収納し，携帯電話を身に付けて，移動する際に，別途に充電器を用意せず，携帯電話のバッテリを充電するのと同時に別途の装置を用意することなく，ラジオ及びＬＤプレイヤーから音楽などを聴取できる，簡易かつ多重機能を有する携帯電話ホルダーを提供することである。
【０００７】
（発明の構成及び作用）
上記の目的を達成するため，本発明にかかる携帯電話ホルダーの構成は，一般的な携帯電話を収納する携帯電話用ホルダーと比べて，上記携帯電話ホルダー（１０）の背面に設置され，ＡＭ／ＦＭが受信可能なラジオ（２０）と，上記携帯電話ホルダー（１０）の背面に設置され，所定電圧のバッテリ（３１）が収納できるバッテリ収納箱（３０）と，上記バッテリ（３１）によって充電される携帯電話ホルダー（１０）の携帯電話収納溝（１１）の内部に形成された充電端子（１２）と，上記ラジオ（２０）及びバッテリ収納箱（３０）の背面に設置されてＬＤを再生するＬＤプレイヤー（４０）と，衣類などに掛着して，携帯するためのＬＤプレイヤー（４０）の表面に設置されるラッチ（５０）とから構成される。
【０００８】
（発明を実施するための最良の形態）
以下添付図面を参照しながら，本発明の充電可能な携帯電話ホルダーについて詳細に説明する。
【０００９】
まず，添付図面を参照しながら本発明の好適な実施形態について説明する。
【００１０】
図１は，本発明の実施の形態にかかる充電可能な携帯電話ホルダーを示す分解組み立て斜視図である。
【００１１】
図１を参照しながら，充電可能な携帯電話ホルダーについて説明すると，充電可能な携帯電話ホルダーは，主要な構成要素として，ラジオ２０と，バッテリ収納箱３０と，ＬＤプレイヤー４０と，ラッチ５０とを含む。
【００１２】
ＡＭ／ＦＭを受信するラジオ２０は，携帯電話（図示せず）を挿入できる携帯電話収納溝１１が形成された携帯電話ホルダー１０の背面に取り付けられる。
【００１３】
バッテリ収納箱３０には，携帯電話のバッテリを充電するバッテリ３１を含み，さらにバッテリ収納箱３０の背面には携帯電話ホルダー１０が接して，バッテリ収納箱３０の側面にはラジオ２０が接している。
【００１４】
一方で，携帯電話が，携帯電話収納溝１１に挿入されると，充電端子１２は，上記バッテリ収納箱３０に備わるバッテリ３１から電力を得る。
【００１５】
ＬＤプレイヤー（ＬＤ  Ｐｌａｙｅｒ）４０は，上記ラジオ２０及びバッテリ収納箱３０の側面に接するように取り付けられる。そして，ラッチ５０は，上記ＬＤプレイヤー４０の表面に取り付けられて，人が身に付ける衣服などに掛着する。
【００１６】
また，上記バッテリ収納箱３０に備えられるバッテリ３１によって，ラジオ２０，ＬＤプレイヤー４０，および携帯電話に，ほぼ同時に電力が供給される。
【００１７】
所定電圧のバッテリ３１がバッテリ収納箱３０に挿入されて，携帯電話が上記携帯電話ホルダー１０の充電端子１２に合うように組み立てられる。
【００１８】
この時，上記携帯電話ホルダー１０の内部の側面に備えられた充電端子１２によって携帯電話のバッテリに充電される。上記バッテリの充電などによって放電されたバッテリ３１は，直ちに別のバッテリ３１に交換する必要がある。
【００１９】
一方，長距離旅行時，別途ラジオを所持することなく，上記携帯電話ホルダー１０の背面に構成するＡＭ／ＦＭが受信できるラジオ２０を使用してラジオ放送を聴取できる。
【００２０】
さらに，バッテリ３１を電源として，上記バッテリ収納箱３０及びラジオ２０の側面に接したＬＤプレイヤー４０を使用することにより，ＬＤに記録された音楽を聴取できる。
【００２１】
（発明の効果）
上述のように本発明は，別途の充電器なしに携帯電話ホルダーにバッテリ収納箱を設け，バッテリ収納箱にバッテリを挿入して，必要時に所定電圧のバッテリを使用することで携帯電話のバッテリが充電される利点がある。
【００２２】
さらに，本発明は，顕著な効果として，旅行時などに，常備する携帯電話ホルダーにラジオ及びＬＤプレイヤーを含ませる（構成させる）ことにより，ラジオ及びＬＤプレイヤーを，別途に持ち運ぶ必要が無くなる。
【００２３】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【図面の簡単な説明】
【図１】
図１は，本発明にかかる充電可能な携帯電話ホルダーを示す分解組み立て斜視図である。
【図２】
図２は，一般的な携帯電話ホルダーを示す斜視図である。
【符号の説明】
１０：携帯電話ホルダー
１１：携帯電話収納溝
１２：充電端子
２０：ラジオ
３０：バッテリ収納箱
４０：ＬＤプレイヤー
５０：ラッチ
【図１】
2004523974.tif 000003
【図２】
2004523974.tif 000004
【国際公開パンフレット】
2004523974.tif 000005
2004523974.tif 000006
2004523974.tif 000007
2004523974.tif 000008
2004523974.tif 000009
2004523974.tif 000010
2004523974.tif 000011
2004523974.tif 000012
2004523974.tif 000013
【国際調査報告】
2004523974.tif 000014